(57)【要約】【課題】緊急地震速報が通知されると即座にガスの燃焼を停止させることができるガス器具を提供する。【解決手段】  ガスを燃焼させるガス器具１０であって、ケーシング１３と、ケーシング１３に固定されているガス燃焼装置１８と、ケーシング１３内に配置されており、ガス燃焼装置１８にガスを供給するガス管１４と、ケーシング１３内に配置されており、ガス管１４を開閉する第１弁１６と、緊急地震速報を受信する受信手段２２と、ガス燃焼装置１８の動作中に緊急地震速報が受信されたときに、第１弁１６を閉じる制御手段２４を有している。【選択図】図１
2010261672.tif 000002
【特許請求の範囲】
【請求項１】
ガスを燃焼させるガス器具であって、
ケーシングと、
ケーシングに固定されているガス燃焼装置と、
ケーシング内に配置されており、ガス燃焼装置にガスを供給するガス管と、
ケーシング内に配置されており、ガス管を開閉する第１弁と、
緊急地震速報を受信する受信手段と、
ガス燃焼装置の動作中に緊急地震速報が受信されたときに、第１弁を閉じる制御手段、
を有していることを特徴とするガス器具。
【請求項２】
制御手段が、緊急地震速報が受信されて第１弁を閉じた後に、通常の使用操作では第１弁を開かない禁止状態に移行することを特徴とする請求項１に記載のガス器具。
【請求項３】
第１弁より上流側のガス管に設置されている第２弁をさらに有しており、
ガス燃焼装置の動作中に緊急地震速報が受信されたときに、制御手段が、第１弁を閉じた後に第２弁を閉じることを特徴とする請求項１または２に記載のガス器具。
【請求項４】
ガス燃焼装置が動作していないときに緊急地震速報が受信されたときに、制御手段が、通常の使用操作では第１弁を開かない禁止状態に移行することを特徴とする請求項１〜３のいずれか一項に記載のガス器具。
【請求項５】
緊急地震速報を受信したときに、光と音の少なくとも一方によって報知することを特徴とする請求項１〜４のいずれか一項に記載のガス器具。
【請求項６】
通常の使用操作とは異なる特定の手動操作により、禁止状態を解除することができることを特徴とする請求項２または４に記載のガス器具。
【発明の詳細な説明】
【技術分野】
【０００１】
本発明は、ガスを燃焼させるガス器具に関する。
【背景技術】
【０００２】
特許文献１には、ガス遮断ユニットが開示されている。このガス遮断ユニットは、緊急地震速報を受信する。緊急地震速報とは、地震の発生時に、地震の主要動（Ｓ波）が到達する前に通知される信号である。このガス遮断ユニットは、緊急地震速報を受信すると、屋外のガス供給管を遮断することによって屋内のガス供給管へのガスの供給を停止する。したがって、地震発生時に安全を確保することができるとされている。
【先行技術文献】
【特許文献】
【０００３】
【特許文献１】特開２００８−２９３１８２号公報
【発明の概要】
【発明が解決しようとする課題】
【０００４】
特許文献１のガス遮断ユニットによれば、地震の揺れが発生する前に屋外のガス供給管から屋内のガス供給管へのガスの供給を遮断できる。しかしながら、屋外のガス供給管から屋内のガス供給管へのガスの供給を遮断しても、屋内のガス供給管内にはガスが残存している。ガスの供給を遮断したタイミングにおいては、屋内のガス供給管内に残存するガスは、遮断前と同程度の圧力を有している。このため、屋内のガス供給管内に残存するガスがガス器具に供給されてしまう。したがって、ガスの供給が遮断された後においても、ガス器具において一定時間はガスの燃焼が継続される。緊急地震速報を受信してから地震の揺れが発生するまでの時間は極めて短時間であることから、ガスの燃焼が即座に停止しないと、ガスの燃焼停止前に地震の揺れが生じてしまうおそれがある。
【０００５】
本発明は、上述した実情に鑑みて創作されたものであり、緊急地震速報が受信されると即座にガスの燃焼を停止させることができるガス器具を提供する。
【課題を解決するための手段】
【０００６】
本発明のガス器具は、ガスを燃焼させる。このガス器具は、ケーシングと、ケーシングに固定されているガス燃焼装置と、ケーシング内に配置されており、ガス燃焼装置にガスを供給するガス管と、ケーシング内に配置されており、ガス管を開閉する第１弁と、緊急地震速報を受信する受信手段と、ガス燃焼装置の動作中に緊急地震速報が受信されたときに第１弁を閉じる制御手段を有している。
このガス器具では、緊急地震速報が受信された場合に、ガス器具のケーシング内に配置されている第１弁が閉じられる。すなわち、ガスが流れる経路の最下流部でガスの供給が遮断される。このため、ガス管を遮断している第１弁より下流側に残存するガスは極めて微量となる。したがって、緊急地震速報を受信したときには、使用しているガス器具のガスの燃焼を即座に停止させることができる。
【０００７】
上述したガス器具は、制御手段が、緊急地震速報が受信されて第１弁を閉じた後に、通常の使用操作では第１弁を開かない禁止状態に移行することが好ましい。
なお、通常の使用操作とは、通常の使用状態においてガス器具を使用する際に行われる操作である。このように禁止状態に移行することで、安全が確認される前にガス器具が使用されることを防止することができる。
【０００８】
上述したガス器具は、第１弁より上流側のガス管に設置されている第２弁をさらに有しており、ガス燃焼装置の動作中に緊急地震速報が受信されたときに、制御手段が、第１弁を閉じた後に第２弁を閉じることが好ましい。
このように、ガスの供給を遮断する弁を２つ設けることで、フェールセーフを実現することができる。また、より下流側に設置されている第１弁を先に閉じることで、器具内の残存ガスをより少なくすることができ、より早くガスの燃焼を停止させることができる。
【０００９】
上述したガス器具は、ガス燃焼装置が動作していないときに緊急地震速報が受信されたときに、制御手段が、通常の使用操作では第１弁を開かない禁止状態に移行することが好ましい。
このような構成によれば、ガス器具を使用していない場合に緊急地震速報を受信しても安全を確保することができる。
【００１０】
上述したガス器具は、緊急地震速報を受信したときに、光と音の少なくとも一方によって報知することが好ましい。
このような構成によれば、ユーザに緊急地震速報を受信したことを知らせることができ、確実に注意を喚起することができる。
【００１１】
上述したガス器具は、通常の使用操作とは異なる特定の手動操作により、禁止状態を解除することができることが好ましい。
このような構成によれば、ユーザが安全確認後に特定の手動操作を行うことで、ガス器具を禁止状態から通常の状態に復帰させることができる。
【発明の効果】
【００１２】
本発明により提供されるガス器具によれば、ガス器具を使用しているときに緊急地震情報を受信すると、即座にガスの燃焼を停止させることができる。
【図面の簡単な説明】
【００１３】
【図１】実施例のガスファンヒータ１０、ガスコンロ３０、及び、給湯器５０の概略構成を示す図。
【図２】緊急地震速報を受信したときの、ガスファンヒータ１０とガスコンロ３０の動作を示すフローチャート。
【図３】緊急地震速報を受信したときの、給湯器５０の動作を示すフローチャート。
【発明を実施するための形態】
【００１４】
実施例に係るガス機器として、ガスファンヒータ、ガスコンロ、給湯器について説明する。図１は、ガスファンヒータ１０、ガスコンロ３０、及び、給湯器５０の概略構成を示すブロック図である。図１に示すように、ガスファンヒータ１０、ガスコンロ３０、及び、給湯器５０は、ガス供給管７０に接続されている。ガス供給管７０の上流端は、ガスメータ８０を介して外部のガス供給管９０に接続されている。ガス供給管７０には、外部のガス供給管９０からガスが供給される。ガスメータ８０は、ガス供給管９０からガス供給管７０に供給されるガスの量を検出する。ガス供給管９０は、ガスメータ８０の下流側で分岐してガス供給管７０となっており、各分岐管の下流端に、ガスファンヒータ１０、ガスコンロ３０、及び、給湯器５０が接続されている。
【００１５】
ガスファンヒータ１０は、ガス栓１２を介してガス供給管７０に接続されている。ガスファンヒータ１０は、ケーシング１３、ガス管１４、開閉弁１６、バーナ１８、ファン２０、受信装置２２、及び、制御装置２４を有している。ガス管１４、開閉弁１６、バーナ１８、ファン２０、受信装置２２、及び、制御装置２４は、ケーシング１３内に配置されている。また、図示していないが、ガスファンヒータ１０は、各種の操作スイッチ、表示画面、表示ランプ、及び、スピーカを有している。
【００１６】
ガス管１４の上流端はガス供給管７０に接続されており、ガス管１４の下流端はバーナ１８に接続されている。バーナ１８は、ガス管１４から供給されるガスを燃焼させる。ファン２０は、バーナ１８に向けて空気を送り込む。バーナ１８を通過した空気は、ガスファンヒータ１０の外部に放出される。開閉弁１６は、ガス管１４に介装されている。開閉弁１６は、ガス管１４を開閉する。受信装置２２は、外部機関（例えば、気象庁等）が運用している緊急地震速報システム１００から緊急地震速報を示す信号が無線送信されたときに、その無線信号を受信する。受信装置２２は、無線により受信した緊急地震速報を電気信号に変換して制御装置２４に入力する。制御装置２４は、開閉弁１６、バーナ１８、ファン２０、受信装置２２、操作スイッチ、表示画面、表示ランプ、及び、スピーカと電気的に接続されている。制御装置２４は、操作スイッチから入力される操作信号、または、受信装置２２から入力される緊急地震速報に基づいて、各部を制御する。
【００１７】
ガスファンヒータ１０の通常動作について説明する。操作スイッチのうちの運転ボタンが押されると、制御装置２４に、運転開始指令が入力される。すると、制御装置２４は、開閉弁１６を開き、バーナ１８を点火する。それとともに、ファン２０を回転させる。これによって、ガスファンヒータ１０から温風が送り出される。
【００１８】
緊急地震速報受信時のガスファンヒータ１０の動作について説明する。図２は、緊急地震速報受信時に制御装置２４が実行する処理を示すフローチャートである。地震が発生すると、緊急地震速報システム１００から緊急地震速報を示す無線信号が送信される。この無線信号は、通常は、地震の主要動が到達する前に受信装置２２で受信される。受信された緊急地震速報は、受信装置２２から制御装置２４に入力される。緊急地震速報の入力を受けると、制御装置２４は図２のフローチャートに示す処理を実行する。したがって、震源地が極端に近い場合等を除いて、図２の処理は、地震による揺れが発生する前に完了する。
【００１９】
ステップＳ２では、制御装置２４が、バーナ１８が燃焼中であるか否かを判定する。バーナ１８が燃焼中である場合にはステップＳ２でＹＥＳと判定され、ガスファンヒータ１０が使用されていない場合や、ガスファンヒータ１０が使用されているがバーナ１８が点火される前の状態にある場合には、ステップＳ２でＮＯと判定される。
【００２０】
ステップＳ２でＹＥＳと判定された場合には、バーナ１８が燃焼中であるので、開閉弁１６が開いており、バーナ１８にガスが供給されている。したがって、制御装置２４は、ステップＳ４で開閉弁１６を閉じる。開閉弁１６を閉じると、バーナ１８へのガスの供給が停止され、ガスの燃焼が停止する。開閉弁１６とバーナ１８の間のガス管１４の距離が極めて短いので、開閉弁１６を閉じるのと略同じタイミングでバーナ１８におけるガスの燃焼は停止する。また、制御装置２４は、ステップＳ４で、ファン２０の動作も停止する。一方、ステップＳ２でＮＯと判定された場合には、開閉弁１６が閉じているので、ステップＳ４を実行しない。すなわち、開閉弁１６を閉じた状態が維持される。
【００２１】
ステップＳ６では、制御装置２４が、禁止状態に移行する。禁止状態とは、運転ボタンの押下により制御装置２４に運転指令が入力されても、制御装置２４が運転指令を受け付けずに動作を実行しない状態である。図２に示すように、ガスファンヒータ１０では、ステップＳ２で何れの判定がされた場合でも、制御装置２４は禁止状態に移行する。
【００２２】
ステップＳ８では、制御装置２４は、表示画面、表示ランプ、及び、スピーカによって、ユーザに警告する。表示画面では、緊急地震速報を受信した旨のメッセージ等が表示される。表示ランプは、点滅表示される。スピーカからは、断続的に電子音が発せられる。表示ランプの点滅速度とスピーカからの電子音の周期は、徐々に早くなるように制御される。これにより、ユーザに対する警告が行われる。
【００２３】
ステップＳ８を実行すると、制御装置２４は、ステップＳ１０で禁止状態の解除指令の入力待ちの状態となる。操作スイッチにより特定の操作が行われると、操作スイッチから制御装置２４に禁止状態を解除する旨の指令が入力される。解除指令の入力をうけると、制御装置２４は、ステップＳ１２において禁止状態から通常状態に移行する。すなわち、制御装置２４は、運転ボタンの押下により制御装置２４に運転指令が入力されたときに、通常動作を実行する状態となる。つまり、制御装置２４の禁止状態は、手動操作により解除することができる。ステップＳ１２を実行すると、制御装置２４は、図２の処理を終了する。
【００２４】
以上に説明したように、ガスファンヒータ１０では、バーナ１８の燃焼中に緊急地震速報が受信されると、開閉弁１６が閉じられる。開閉弁１６とバーナ１８の間のガス流路が極めて短いので、開閉弁１６を閉じると即座にバーナ１８の燃焼が停止する。このため、ガスファンヒータ１０は、緊急地震速報を受信すると即座にバーナ１８の燃焼を停止させることができる。これにより、地震による揺れが生じる前にバーナ１８の燃焼を停止できる可能性が高まり、より安全性が向上する。
【００２５】
また、上述したガスファンヒータ１０は、緊急地震速報が受信されると、バーナ１８が燃焼中であるか否かに係らず禁止状態に移行する。これによって、安全確認前にガスファンヒータ１０が使用されることが防止される。
【００２６】
次に、ガスコンロ３０について説明する。図１に示すように、ガスコンロ３０は、ガス栓３２を介してガス供給管７０に接続されている。ガスコンロ３０は、ケーシング３３、ガス管３４、開閉弁３６、バーナ３８、受信装置４２、及び、制御装置４４を有している。バーナ３８は、ガス燃焼部がケーシング３３の上面に露出するようにケーシング３３に固定されている。ガス管３４、開閉弁３６、バーナ３８、受信装置４２、及び、制御装置４４は、ケーシング３３内に配置されている。また、図示していないが、ガスコンロ３０は、各種の操作スイッチ、表示画面、表示ランプ、及び、スピーカを有している。ガスコンロ３０の各部の機能は、ガスファンヒータ１０の対応する部分の機能と略等しい。
【００２７】
ガスコンロ３０の通常動作について説明する。操作スイッチのうちの点火つまみが捻られると、制御装置４４に、運転開始指令が入力される。すると、制御装置４４は、開閉弁３６を開き、バーナ３８を点火する。
【００２８】
緊急地震速報受信時のガスコンロ３０の動作について説明する。緊急地震速報の入力を受けると、制御装置４４は、ガスファンヒータ１０の制御装置２４と略同様に、図２のフローチャートに示す処理を実行する。すなわち、バーナ３８が燃焼中である場合には、制御装置４４は、ステップＳ２でＹＥＳと判定し、ステップＳ４で開閉弁３６を閉じる。バーナ３８が燃焼中でない場合には、制御装置４４は、ステップＳ２でＮＯと判定し、ステップＳ４を実行しない。その後、制御装置４４は、ステップＳ６で禁止状態に移行し、ステップＳ８で警告動作を行い、ステップＳ１０で入力待ちの状態となる。操作スイッチにより特定の操作が行われて禁止状態の解除指令が入力されると、制御装置４４は、ステップＳ１２で禁止状態を解除して、図２の処理を終了する。
【００２９】
以上に説明したように、ガスコンロ３０でも、バーナ３８の使用中に緊急地震速報が受信されると、開閉弁３６が閉じられてバーナ３８の燃焼が停止される。開閉弁３６とバーナ３８の間のガス流路が極めて短いので、バーナ３８の燃焼を即座に停止させることができる。
【００３０】
次に、給湯器５０について説明する。図１に示すように、給湯器５０は、ガス供給管７０に接続されている。また、給湯器５０は、給水管８５と出湯管８６に接続されている。給水管８５と出湯管８６は、浴室等の温水利用箇所に設けられている給湯栓８７に水道水を供給する。給湯器５０は、リモコン５２、ケーシング５３、ガス管５４、開閉弁５６、５７、バーナ５８、水量センサ５９、水量サーボ６０、熱交換器６１、受信装置６２、及び、制御装置６４を有している。ガス管５４、開閉弁５６、５７、バーナ５８、水量センサ５９、水量サーボ６０、熱交換器６１、受信装置６２、及び、制御装置６４は、ケーシング５３内に配置されている。リモコン５２は、温水利用箇所の壁面等に設置されている。図示していないが、リモコン５２は、電源ボタン、各種の操作スイッチ、表示画面、表示ランプ、及び、スピーカを有している。
【００３１】
熱交換器６１は、給水管８５と出湯管８６に接続されている。熱交換器６１には、給水管８５から水道水が供給される。熱交換器６１に供給された水道水は、熱交換器６１内を通って出湯管８６に流れる。水量センサ５９と水量サーボ６０は、給水管８５に介装されている。水量センサ５９は、給水管８５内を流れる水の流量を検出する。水量サーボ６０は、給水管８５を開閉する。水量サーボ６０の開量は制御可能であり、水量サーボ６０の開量が制御されることで給水管８５内を流れる水の流量が調節される。ガス管５４の上流端はガス供給管７０に接続されており、ガス管５４の下流端はバーナ５８に接続されている。バーナ５８は、熱交換器６１の下方に配置されている。バーナ５８は、ガス管５４から供給されるガスを燃焼させることによって、熱交換器６１を加熱する。開閉弁５６は、ガス管５４に介装されている。開閉弁５７は、開閉弁５６の上流側のガス管５４に介装されている。開閉弁５６、５７は、ガス管５４を開閉する。受信装置６２は、緊急地震速報システム１００から無線送信される緊急地震速報を受信し、無線により受信した緊急地震速報を電気信号に変換して制御装置６４に入力する。制御装置６４は、リモコン５２、開閉弁５６、５７、バーナ５８、水量センサ５９、水量サーボ６０、及び、受信装置６２と電気的に接続されている。制御装置６４は、リモコン５２から入力される操作信号、または、受信装置６２から入力される緊急地震速報に基づいて、各部を制御する。
【００３２】
給湯器５０の通常動作について説明する。リモコン５２の電源ボタンが押されて給湯器５０の制御装置６４が運転可能状態となった後に、給湯栓８７の蛇口が開かれると、給湯器５０が通常動作を開始する。給湯栓８７が開かれると、給水管８５内に水が流れ、水量センサ５９が給水管８５内を流れる水の流量をカウントする。水量センサ５９がカウントを開始すると、制御装置６４に運転開始指令が入力される。すると、制御装置６４は、開閉弁５６、５７を開き、バーナ５８を点火する。バーナ５８が燃焼すると、熱交換器６１が加熱されて、熱交換器６１内を流れる水が加熱される。したがって、給水管８５から、熱交換器６１、及び、出湯管８６を通って、給湯栓８７に温水が供給され、給湯栓８７から温水が出湯する。
【００３３】
緊急地震速報受信時の給湯器５０の動作について説明する。緊急地震速報の入力を受けると、制御装置６４は、図３のフローチャートに示す処理を実行する。
【００３４】
ステップＳ２２では、制御装置６４が、バーナ５８が燃焼中であるか否かを判定する。バーナ５８が燃焼中である場合にはステップＳ２２でＹＥＳと判定され、給湯器５０が使用されていない場合や、常温の水が温水利用箇所に供給されている場合には、ステップＳ２２でＮＯと判定される。
【００３５】
ステップＳ２２でＹＥＳと判定された場合には、バーナ５８が燃焼中であるので、開閉弁５６、５７が開いている。したがって、制御装置６４は、ステップＳ２４で開閉弁５６を閉じる。開閉弁５６を閉じると、バーナ５８へのガスの供給が停止され、ガスの燃焼が停止する。開閉弁５６とバーナ５８の間のガス管５４の距離が極めて短いので、開閉弁５６を閉じるのと略同じタイミングでバーナ５８におけるガスの燃焼は停止する。次に、制御装置６４は、ステップＳ２６で、開閉弁５７を閉じる。このように、２つの開閉弁５６、５７のうち、下流側の開閉弁５６を先に閉じることで、より早くバーナ５８の燃焼を停止させることができる。また、２つの開閉弁５６、５７を両方閉じることで、フェールセーフが図られている。一方、ステップＳ２２でＮＯと判定された場合には、開閉弁５６、５７が既に閉じているので、制御装置６４はステップＳ２４、２６を実行しない。すなわち、開閉弁５６、５７を閉じた状態が維持される。
【００３６】
ステップＳ２８では、制御装置６４が、禁止状態に移行する。禁止状態とは、リモコン５２の電源ボタンが押された状態で水量センサ５９が給水管８５内の水の流量をカウントすることにより制御装置６４に運転指令が入力されても、制御装置６４が運転指令を受け付けずに動作を実行しない状態である。
【００３７】
ステップＳ３０では、制御装置６４は、リモコンの表示画面、表示ランプ、及び、スピーカによって、ユーザに警告する。
【００３８】
ステップＳ３０を実行すると、制御装置６４は、ステップＳ３２で禁止状態の解除指令の入力待ちの状態となる。リモコン５２の操作スイッチにより特定の操作が行われると、リモコン５２から制御装置６４に禁止状態を解除する旨の指令が入力される。これによって、制御装置６４は、ステップＳ３４において、禁止状態から通常状態に移行する。すなわち、制御装置６４は、水量センサ５９が給水管８５内の水の流量をカウントすることにより制御装置６４に運転指令が入力されたときに、通常動作を実行する状態となる。つまり、制御装置６４の禁止状態は、手動操作により解除することができる。ステップＳ３４を実行すると、制御装置６４は、図３の処理を終了する。
【００３９】
以上に説明したように、給湯器５０でも、バーナ５８の使用中に緊急地震速報が受信されると、開閉弁５６、５７が閉じられてバーナ５８の燃焼が停止される。開閉弁５６とバーナ５８の間のガス流路が極めて短いので、バーナ５８の燃焼を即座に停止させることができる。
【００４０】
なお、上述した実施例では、ガスファンヒータ、ガスコンロ、及び、給湯器について説明したが、本発明はその他のガス器具にも適用することができる。例えば、ガスオーブンレンジ、ガス炊飯器等に適用してもよい。
【００４１】
また、上述した実施例では、表示ランプが点滅表示され、スピーカから断続的に電子音が発せられることで、ユーザに対する警告が行われた。しかしながら、表示ランプが点灯する（すなわち、点滅ではなく、継続的に発光する）ことによって、警告が行われてもよい。また、スピーカから、断続的な電子音ではなく、連続的な電子音（すなわち、途切れることなく発せられる電子音）が発せられることで警告が行われてもよい。また、スピーカから、音声が発せられることで警告が行われてもよい。
【００４２】
また、上述した実施例では、給湯器５０がガス管を開閉する開閉弁を２つ有していた。しかしながら、ガスファンヒータ１０またはガスコンロ３０に、ガス管を開閉する開閉弁を２つ設けてもよい。ガスファンヒータ１０とガスコンロ３０でも、緊急地震速報の受信時に２つの開閉弁を閉じることで、フェールセーフを図ることができる。この場合、より下流側に設置されている開閉弁を先に閉じることで、より早くバーナの燃焼を停止させることができる。
【００４３】
また、上述した実施例では、緊急地震速報を無線で受信したが、有線で受信してもよい。また、ＨＥＭＳ（Home Energy Management System）等のネットワーク経由で受信してもよい。
【００４４】
以上、本発明の具体例を詳細に説明したが、これらは例示にすぎず、特許請求の範囲を限定するものではない。特許請求の範囲に記載の技術には、以上に例示した具体例をさまざまに変形、変更したものが含まれる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４５】
１０：ガスファンヒータ
１２：ガス栓
１３：ケーシング
１４：ガス管
１６：開閉弁
１８：バーナ
２０：ファン
２２：受信装置
２４：制御装置
３０：ガスコンロ
３２：ガス栓
３３：ケーシング
３４：ガス管
３６：開閉弁
３８：バーナ
４２：受信装置
４４：制御装置
５０：給湯器
５２：リモコン
５３：ケーシング
５４：ガス管
５６：開閉弁
５７：開閉弁
５８：バーナ
５９：水量センサ
６０：水量サーボ
６１：熱交換器
６２：受信装置
６４：制御装置
７０：ガス供給管
８０：ガスメータ
８５：給水管
８６：出湯管
８７：給湯栓
９０：ガス供給管
１００：緊急地震速報システム
【図１】
2010261672.tif 000003
【図２】
2010261672.tif 000004
【図３】
2010261672.tif 000005